(57)【要約】【課題】外部空気の導入部に設置されているエアーフィルタを交換する際に、エアーフィルタ等に付着していた塵埃が離脱しても光学系部品の存在する内部へ運ばれることのないようにした投写映像表示装置を提供する。【解決手段】本発明に係る投写映像表示装置は、外部空気を光学系部品に送風する冷却システム２を備えている。冷却システム２は、外部空気を導入する導入部の構成部材が一体化された外部空気導入ユニット１０と、外部空気を光学系部品へ通風させる冷却ファン２０とを有する。また、外部空気導入ユニット１０は、吸気口１１と、エアーフィルタ１２と、エアーフィルタ１２を内部に収納するとともに、一端を吸気口１１としてこの吸気口からエアーフィルタ出口側までの空気通路を形成するケース１３とを有するとともに、外装筐体１の外部へ位置させた状態でエアーフィルタ１２を交換できるように構成されている。【選択図】図６
2013011689.tif 000002
【特許請求の範囲】
【請求項１】
外装筐体の内部に、光源ランプから出射された光を映像信号に基づいて光変調する光変調素子を含む光学系部品と、外部空気を導入し、この外部空気を前記光学系部品に送風する冷却システムとを備えた投写映像表示装置において、
前記冷却システムは、外部空気を導入する導入部の構成部材が一体化された外部空気導入ユニットと、この外部空気導入ユニットを通じて外部空気を導入するとともに、この空気を前記光学系部品へ通風するための冷却ファンを有し、
前記外部空気導入ユニットは、前記導入部の構成部材として外部空気を外装筐体内へ導入する吸気口と、吸気口に対向して設けられたエアーフィルタと、このエアーフィルタを内部に収納するとともに、一端を前記吸気口としてこの吸気口からエアーフィルタの出口側までの空気通路を形成するケースとを含み、さらに、ユニット全体が前記外装筐体の外部の位置に移動させることができるように構成され、外装筐体の外部の位置に移動された状態においてエアーフィルタを交換可能に構成されている
ことを特徴とする投写映像表示装置。
【請求項２】
請求項１記載の投写映像表示装置において、
前記外部空気導入ユニットは、吸気口の外側から見て四辺形に形成され、その一辺に設けられた回転支軸を中心として回転ドア式に外装筐体の外側に回転させるように形成されている
ことを特徴する投写映像表示装置。
【請求項３】
請求項２記載の投写映像表示装置において、
前記外部空気導入ユニットは、回転ドア式に外装筐体の外側に回転された状態で、エアーフィルタが着脱可能に形成されている
ことを特徴する投写映像表示装置。
【請求項４】
請求項１記載の投写映像表示装置において、
前記外部空気導入ユニットは、ユニット全体が前記外装筐体に対し着脱自在に形成されている
ことを特徴する投写映像表示装置。
【請求項５】
請求項４記載の投写映像表示装置において、
前記外部空気導入ユニットは、前記外装筐体に対して着脱自在に形成されている
ことを特徴する投写映像表示装置。
【発明の詳細な説明】
【技術分野】
【０００１】
本発明は、投写型映像表示装置に関し、特に、吸気口に対向するように配置されているエアーフィルタの取り付け構造に関する。
【背景技術】
【０００２】
従来、投写映像表示装置は、搭載されている光学系部品が光源ランプからの光を透過させることにより発熱する。このため、これら部品の温度上昇を許容温度以下に抑えるために外部の空気を導入し、この導入した外部空気を冷却空気として光学系部品へ供給している。
【０００３】
しかし、外部から導入する空気には塵埃が含まれていることがあり、この塵埃が冷却空気中に含まれて投写映像表示装置の内部に侵入すると、投写映像の品質が劣化するという問題があった。
【０００４】
このため従来のものでは、導入した空気から塵埃を除去するために、外部空気を導入する吸気口に対向するようにエアーフィルタが配設され、このエアーフィルタのさらに奥側に冷却ファンが配設されている。
【０００５】
ところで、エアーフィルタは、使用しているうちに目詰まりが生じるので、所定の時間使用すると新しいエアーフィルタに交換したり、或いは、エアーフィルタを清掃して再使用されたりしている。このため、交換作業の便利性等を加味してエアーフィルタの取付構造が設計されている。
【０００６】
例えば、特許文献１のものでは外装筐体の外部からこのエアーフィルタを着脱可能とするように外装筐体の内部に装着されている。
また、特許文献２のものでは、吸気口に対向してエアーフィルタが配置されると共に、エアーフィルタ近くの冷却ファン側に、エアーフィルタの交換時に外部空気導入路を閉鎖するためのシャッターが設けられている。
【先行技術文献】
【特許文献】
【０００７】
【特許文献１】特開２００９−３３１７号公報
【特許文献２】特開２０１０−１９１１６７号公報
【発明の概要】
【発明が解決しようとする課題】
【０００８】
しかしながら、上記従来のものでは、エアーフィルタ交換時に、エアーフィルタに付着していた塵埃が、エアーフィルタの装着空間内に落下することがあった。しかし、エアーフィルタの近傍は狭い空間であるため掃除し難いところがあった。また、外装筐体内におけるエアーフィルタを装着する近傍の部材にも、塵埃が蓄積されており、エアーフィルタ交換作業に付随する振動や、エアーフィルタ交換作業中に起こる気流変動によって、これら塵埃が光学系部品の配置されている内部空間に侵入する可能性があった。
【０００９】
このような問題点を、外部空気の導入部を模式的に示した図面により具体的に説明する。
先ず、特許文献１のものについて、図１１〜図１３の模式図に基づき説明する。図１１に示すように、外装筐体１０１の一側部に吸気口１０２が形成されている。なお、吸気口１０２には吸込みグリルが形成されている。また、この吸気口１０２に対向してエアーフィルタ１０３が配設され、さらにこのエアーフィルタ１０３の奥側の内部に冷却ファン１０４が配設されている。そして、冷却ファン１０４の吹出口は、偏向板、液晶パネルなどの光学系部品、光源ランプ、電源などの発熱部へ冷却風を送るため、給気ダクト１０５に接続されている。この状態においては、エアーフィルタ１０３に付着している塵埃ｄ１と、外装筐体１０１内のエアーフィルタ１０３近傍の部材に付着している塵埃ｄ２とがある。
【００１０】
また、エアーフィルタ１０３は、図１２に示すように、外装筐体１０１の外部からエアーフィルタ１０３をスライド式に挿入して取り付けられ、引き出し式に引っ張り出すことにより取り外しすることができるように着脱自在に装着されている。ところで、このものにおいてエアーフィルタ１０３の交換のために、エアーフィルタ１０３を外装筐体１０１の外側に引き出して取り外す作業を行うと、作業時の振動等によりエアーフィルタ１０３に付着している塵埃ｄ１やエアーフィルタ１０３近傍の部材に付着している塵埃ｄ２の一部が離脱する。そして、この離脱した塵埃ｄ３が外装筐体１０１の内部に取り残されることになる。
【００１１】
また、エアーフィルタ１０３を取り外している間に、図１３に示すように吸込みグリルを通じて気流の乱れが生じ、エアーフィルタ１０３及びその近傍の部材から離脱した塵埃ｄ３がエアーフィルタ１０３の奥側へ流れ込む。これにより、これら塵埃ｄ３が、冷却ファン１０４の再運転に伴い給気ダクト１０５を通して光学系部品へ運ばれるという問題が生じていた。
【００１２】
次に、特許文献２のものについて図１４〜図１７の模式図に基づき説明する。なお、特許文献１のものと共通の部品には同一の符号を付し、その説明を簡略化する。このものでは、上記特許文献１のようにエアーフィルタ１０３を取り外している間に、エアーフィルタ１０３及びその近傍の部材から離脱した塵埃ｄ３がエアーフィルタ１０３の奥側へ入り込むのを防止するために、図１４のように、エアーフィルタ１０３と冷却ファン１０４との間にシャッター１０６が設けられている。そして、このシャッター１０６は、図１５に示すように、エアーフィルタ１０３が取り外されるときに、閉じられるように形成されている。したがって、エアーフィルタ１０３の取り外しの際にエアーフィルタ１０３及びエアーフィルタ１０３近傍の部材から離脱した塵埃ｄ３は、エアーフィルタ１０３の取り外しの間に気流の乱れが生じても、図１６に示すようにシャッター１０６に遮られて、これより奥側に入り込まない。
【００１３】
ところが、エアーフィルタ１０３を取り付けて冷却ファン１０４を再運転するときに、シャッター１０６を開いて外部空気を導入すると、シャッター１０６に付着していた塵埃ｄ３が冷却ファン１０４に吸い込まれ、給気ダクト１０５を通して光学系部品へ運ばれるという問題あった。
【００１４】
このように、従来の投写映像表示装置においては、エアーフィルタ１０３に付着した塵埃ｄ３がエアーフィルタ１０３を取り外す際に離脱し、エアーフィルタ１０３近傍の部材に付着していた塵埃ｄ２と共に冷却ファン１０４の再運転の際に給気ダクト１０５を通じ光学系部品の存在する内部へ移動するという問題があった。
【００１５】
本発明は、このような従来技術における問題点を解決するものであって、外部空気の導入部に設置されているエアーフィルタを交換する際に、エアーフィルタ又はその近傍の部材に付着していた塵埃が飛散しても光学系部品の存在する内部へ運ばれることのないようにした投写映像表示装置を提供することを目的とする。
【課題を解決するための手段】
【００１６】
請求項１に記載された発明に係る投写映像表示装置は、外装筐体の内部に、光源ランプから出射された光を映像信号に基づいて光変調する光変調素子を含む光学系部品と、外部空気を導入し、この外部空気を前記光学系部品に送風する冷却システムとを備えた投写映像表示装置において、前記冷却システムは、外部空気を導入する導入部の構成部材が一体化された外部空気導入ユニットと、この外部空気導入ユニットを通じて外部空気を導入するとともに、この空気を前記光学系部品へ通風するための冷却ファンとを有し、前記外部空気導入ユニットは、前記導入部の構成部材として外部空気を外装筐体内へ導入する吸気口と、吸気口に対向して設けられたエアーフィルタと、このエアーフィルタを内部に収納するとともに、一端を前記吸気口としてこの吸気口からエアーフィルタの出口側までの空気通路を形成するケースとを含み、さらに、ユニット全体が前記外装筐体の外部の位置に移動させることができるように構成され、外装筐体の外部の位置に移動された状態においてエアーフィルタを交換可能に構成されていることを特徴とする。
【００１７】
このような構成によれば、エアーフィルタを新しいもの又は清掃されたものに交換するために取り外すときに、外部空気導入ユニット全体を先ず外装筐体の外部の位置に移動させ、その後に、外部空気導入ユニットからエアーフィルタを取り外すようにすることができる。このようにすると、エアーフィルタに付着していた塵埃は、外部空気導入ユニットを外部に位置させるときには、エアーフィルタから略離脱しない。また、外装筐体の外部において、塵埃の付着しているエアーフィルタを外部空気導入ユニットから取り外すことができる。この取り外しの際に、エアーフィルタ及びその近傍の部材が振動されるので、エアーフィルタ及びその近傍の部材に付着していた塵埃がそれらから離脱することが考えられる。しかし、この離脱は、外装筐体の外部で発生することであるので、外装筐体の内部に侵入しないように処理することができる。
【００１８】
請求項２記載の発明は、請求項１記載の投写映像表示装置において、前記外部空気導入ユニットは、吸気口の外側から見て四辺形に形成され、その一辺に設けられた回転支軸を中心として回転ドア式に外装筐体の外側に回転させるように形成されていることを特徴とする。
【００１９】
このような構成によれば、外部空気導入ユニットを外側へ回転させることにより、外部空気導入ユニットを外装筐体の外部の位置へ移動させさせることができる。したがって、外装筐体の外部においてエアーフィルタを取り外すことができるので、エアーフィルタ及びその近傍の部材に付着していた塵埃がそれらから塵埃が離脱しても、外装筐体の内部に侵入しないように処理することができる。
【００２０】
請求項３記載の発明は、請求項２記載の投写映像表示装置において、前記外部空気導入ユニットは、回転ドア式に外装筐体の外側に回転された状態で、エアーフィルタがスライド式に着脱可能に形成されていることを特徴とする。
【００２１】
このような構成によれば、回転ドア式に外装筐体の外側に回転された状態の外部空気導入ユニットは、不安定な状態にあるが、エアーフィルタをこの外部空気導入ユニットに対し着脱できるようにしているため、この着脱作業を容易に行うことができる。
【００２２】
請求項４記載の発明は、請求項１記載の投写映像表示装置において、前記外部空気導入ユニットは、ユニット全体が前記外装筐体に対し着脱自在に形成されていることを特徴とする。
【００２３】
このような構成によれば、外部空気導入ユニット全体を外装筐体から取り外すことにより、完全に外装筐体の外側でエアーフィルタを外部空気導入ユニットから取り外すことができる。したがって、エアーフィルタの取り外し作業時に、エアーフィルタ及びその近傍の部材から離散する塵埃が外装筐体の内部に侵入しないように処理することができる。
【００２４】
請求項５記載の発明は、請求項４項記載の投写映像表示装置において、前記外部空気導入ユニットは、前記外装筐体に対して着脱自在に形成されていることを特徴とする。
このような構成によれば、投写型映像表示装置の外装筐体からの外部空気導入ユニットの取り外し作業が容易になる。
【発明の効果】
【００２５】
本発明に係る投写映像表示装置によれば、エアーフィルタを交換又は清掃のために取り外しするときに、外部空気導入ユニットを先ず外装筐体の外部に配置させ、その後に、外部空気導入ユニットからエアーフィルタを取り外すようにすることができる。したがって、仮にこの際にエアーフィルタやその近傍に付着していた塵埃が離脱したとしても、外装筐体の外部であるので、外装筐体の内部に侵入しないように処理することができる。
【図面の簡単な説明】
【００２６】
【図１】本発明の実施の形態１に係る投写型映像表示装置における外部空気導入ユニット周りの外形斜視図である。
【図２】同投写型映像表示装置において、外部空気導入ユニットを外装筐体の外部へ位置させた状態斜視図である。
【図３】同外部空気導入ユニットの塵埃の付着状態を示した模式図であって、エアーフィルタ交換作業前の状態図である。
【図４】同外部空気導入ユニットの塵埃の付着状態を示した模式図であって、同外部空気導入ユニットを回転ドア式に回転させて外装筐体の外部へ位置させた状態図である。
【図５】同外部空気導入ユニットの塵埃の付着状態を示した模式図であって、同外部空気導入ユニットからエアーフィルタを取り外すときの状態図である。
【図６】同外部空気導入ユニットの塵埃の付着状態を示した模式図であって、同外部空気導入ユニットに新しいエアーフィルタを取り付けるときの状態図である。
【図７】本発明の実施の形態２に係る投写型映像表示装置における外部空気導入ユニット周りの外形斜視図である。
【図８】同投写型映像表示装置において、外部空気導入ユニットを外装筐体の外部へ位置させるときの状態斜視図である。
【図９】同外部空気導入ユニットの塵埃の付着状態を示した模式図であって、外部空気導入ユニットを外装筐体から取り外すときの状態図である。
【図１０】同外部空気導入ユニットの塵埃の付着状態を示した模式図であって、外部空気導入ユニットを外装筐体から取り外したときの状態図である。
【図１１】従来例に係る投写型映像表示装置の外部空気の導入部における塵埃の付着状態を示した模式図であって、エアーフィルタ交換作業前の状態図である。
【図１２】同投写型映像表示装置の外部空気の導入部における塵埃の付着状態を示した模式図であって、エアーフィルタを取り外すときの状態図である。
【図１３】同投写型映像表示装置の外部空気の導入部における塵埃の付着状態を示した模式図であって、エアーフィルタを取り外している間における乱れ気流の影響を受けた状態図である。
【図１４】他の従来例に係る投写型映像表示装置の外部空気の導入部における塵埃の付着状態を示した模式図であって、エアーフィルタ交換作業前の状態図である。
【図１５】同投写型映像表示装置の外部空気の導入部における塵埃の付着状態を示した模式図であって、エアーフィルタを取り外すときの状態図である。
【図１６】同投写型映像表示装置の外部空気の導入部における塵埃の付着状態を示した模式図であって、エアーフィルタを取り外している間におけるシャッタ機能を示した状態図である。
【図１７】同投写型映像表示装置の外部空気の導入部における塵埃の付着状態を示した模式図であって、エアーフィルタを交換した後の状態図である。
【発明を実施するための形態】
【００２７】
（実施の形態１）
以下、本発明の実施の形態１に係る投写型映像表示装置について、図１〜図６を参照しながら説明する。なお、以下の説明において、上下左右等の方向をいうときは図１に記載した方向をいうものとする。なお、この図１は、本実施の形態に係る投写型映像表示装置を床面設置した状態図を示す。
【００２８】
本実施の形態に係る電子機器としての投写型映像表示装置は、３板式液晶投写型映像表示装置であって、外装筐体１の内部に、光源ランプから出射された光を映像信号に基づいて光変調する光変調素子を含む光学系部品と、外部空気を導入し、この外部空気を前記光学系部品に送風する冷却システム２とを備えている。
【００２９】
冷却システム２は、外装筐体１の背面に外部空気を導入する導入部を備えている。また、冷却システム２は、この導入部の構成部材が一体化された外部空気導入ユニット１０と、この外部空気導入ユニット１０を通じて外部空気を導入するとともに、この空気を前記光学系部品へ送風する冷却ファン２０と、冷却ファン２０から吹き出された外部空気を光学系機器へ搬送する給気ダクト３０とを有している。なお、この実施の形態においては、冷却ファン２０としてシロッコファンが用いられている。
【００３０】
外部空気導入ユニット１０は、前述の導入部の構成部材として、外部空気を外装筐体１内へ導入する吸気口１１と、吸気口１１に対向して設けられたエアーフィルタ１２と、エアーフィルタ１２を内部に収納するとともに、一端を前記吸気口１１としてこの吸気口１１からエアーフィルタ１２の出口側までの空気通路を形成するケース１３とを含む。また、この実施の形態においては、吸気口１１は、吸込みグリルとして形成されている。
【００３１】
また、外部空気導入ユニット１０は、外装筐体１の外部の位置へ移動させることができるように構成されている。具体的には、図２に示すように、外部空気導入ユニット１０は、吸気口１１の外側から見て略四辺形に形成され、その一辺、この実施の形態においては上辺、に設けられた回転支軸１４（図３参照）を中心として回転ドア式に外装筐体１の外側に回転して移動できるように形成されている。
【００３２】
また、外部空気導入ユニット１０は、外装筐体１の外部の位置へ移動された状態において、ケース１３の側蓋１３ａを取り外すと、エアーフィルタ１２をスライド式に、より具体的には、図５及び図６に示すように、水平方向にスライド式に着脱自在に構成されている。
【００３３】
次に、本実施の形態に係る投写型映像表示装置の動作について説明する。
この実施の形態において、エアーフィルタ１２を新しいもの又は清掃されたものと交換するためにエアーフィルタ１２を取り外すときは、図３及び図４に示すように、先ず外部空気導入ユニット１０を回転ドア式に外側の上方へ回転させる。これにより、外部空気導入ユニット１０を外装筐体１の外部へ移動させて位置させることができる。この状態においては、図４に示すように、エアーフィルタ１２に付着している塵埃ｄ１と、外装筐体１内のエアーフィルタ１２近傍の部材に付着している塵埃ｄ２とがある。
【００３４】
また、この状態において、側蓋１３ａを取り外すことにより、図５に示すようにエアーフィルタ１２を水平方向にスライド式に取り外すことができる。このとき、エアーフィルタ１２の取り外し作業時に生じる振動により、エアーフィルタ１２及びその近傍の部材に付着していた塵埃ｄ１、ｄ２の一部が離脱し、この離脱した塵埃ｄ３が外部空気導入ユニット１０のケース１３の内部に取り残されることになる。なお、エアーフィルタ１２の取り外し中に離脱した塵埃ｄ３が下方に落下することもあり得るが、その塵埃ｄ３は外装筐体１の外側に落下することになる。
【００３５】
その後、図６に示すように、新しいエアーフィルタ１２又は清掃されたエアーフィルタ１２を水平方向スライド式に挿入して取り付け、この外部空気導入ユニット１０を元の位置へ戻すことにより、エアーフィルタ１２の交換作業を終えることができる。このようにして取り付けられると、エアーフィルタ１２及びその近傍の部材から離脱し、外装筐体１内に残存していた塵埃ｄ３や、エアーフィルタ１２近傍の部材にそのまま付着していた塵埃ｄ２は、吸気口１１とエアーフィルタ１２との間のケース１３内の空間に所在することになる。したがって、この状態で外部空気導入ユニット１０を再度外装筐体１の所定の位置に取り付けて冷却ファン２０を作動させたとしても、エアーフィルタ１２の交換の際に、外部空気導入ユニット１０内に残存した塵埃ｄ２及び塵埃ｄ３がエアーフィルタ１２の奥側へ侵入することを略回避することができる。
【００３６】
実施の形態１に係る投写型映像表示装置は、以上のように構成されているので、次のような効果を奏することができる。
（１）エアーフィルタ１２を新しいもの又は清掃されたものと交換するために、エアーフィルタ１２を取り外すときは、エアーフィルタ１２及びその近傍の部材から離脱した塵埃ｄ３は、一部は外部空気導入ユニット１０の内部に残存し、他の一部が外部空気導入ユニット１０の外部に落下することになる。しかしながら、前者のものは、新たなエアーフィルタ１２を装着することにより、エアーフィルタ１２の近傍に付着して残存していた塵埃ｄ２と共に外部空気導入ユニット１０内に閉じ込めることができる。また、後者のものは、外装筐体１の外部で取り外すことになるため、仮に、外部空気導入ユニット１０の外側に塵埃ｄ３が落下するようなことがあっても、外装筐体１の外側となるので、外装筐体１の内部に侵入することを略防止することができる。この結果、エアーフィルタ１２の交換の際に、エアーフィルタ１２及びその近傍の部材から離脱した塵埃ｄ３やその近傍の部材に付着していた塵埃ｄ２が光学系部品の存在する内部へ侵入することが防止される。
【００３７】
（２）また、外部空気導入ユニット１０は、吸気口１１の外側から見て略四辺形に形成され、その一辺に設けられた回転支軸１４を中心として回転ドア式に外装筐体１の外側に回転させるように形成されているので、エアーフィルタ１２を外部に位置させることを容易に行なうことができる。
【００３８】
（３）また、外部空気導入ユニット１０は、回転ドア式に外装筐体１の外側に回転されて外装筐体１の外側に位置する状態において、エアーフィルタ１２をスライド式に着脱可能に形成されているので、エアーフィルタ１２の着脱作業を容易に行うことができる。
【００３９】
（実施の形態２）
次に実施の形態２に係る投写型映像表示装置について、図７〜図１０を参照しながら説明する。
【００４０】
前述の実施の形態１は、外部空気導入ユニット１０を回転ドア式に外装筐体１の外側に回転させることにより、外部空気導入ユニット１０を外装筐体１の外側の位置へ移動させる方法を取っていた。これに対し実施の形態２は、外部空気導入ユニット１０全体を、ユニット構成のまま外装筐体１の外側に取り出せるようにしたものである。なお、この実施の形態２における実施の形態１と同一の構成要素には同一の符号を付し、その説明を省略又は簡略化する。
【００４１】
すなわち、この実施の形態２において、投写型映像表示装置は、図７、図８及び図９に示されるように、上面に開閉蓋１５が設けられている。そして、外部空気導入ユニット１０は、ユニット構成のままで図９における白抜き矢印のように上方にスライド式に着脱できるように構成されている。
【００４２】
そして、外部空気導入ユニット１０は、引き出された状態、例えば図１０のような向きに置かれた状態で、実施の形態１の場合と同様にケース１３の側蓋１３ａが取り外されると、外部空気導入ユニット１０からエアーフィルタ１２をスライド式に引き出すことができるように構成されている。なお。この構成においては、側蓋１３ａは、図８等に示されるようにケース１３の上方部に取り付けられているものとしているが、この位置に限られたものではなく下方の位置としてもよい。
【００４３】
次に、上記実施の形態２に係る投写型映像表示装置の動作を説明する。
この実施の形態において、エアーフィルタ１２を交換するためにエアーフィルタ１２を取り外すときは、図８及び図９に示すように、先ず、外装筐体１の上面に形成された開閉蓋１５を開く。そして、図９の白抜き矢印に示すように、外部空気導入ユニット１０をスライド式に上方へ引き上げ、外部空気導入ユニット１０を外装筐体１の外部へ引き出す。これにより、外部空気導入ユニット１０は、図１０に示すように、外装筐体１から完全に引き離された状態となり、投写型映像表示装置とは独立して自由な位置に移動可能な状態となる。したがって、外部空気導入ユニット１０は、このように移動可能な状態となった後、実施の形態１におけると同様に、側蓋１３ａを取り外すことにより、エアーフィルタ１２を取り外すことができるようになる。
【００４４】
外部空気導入ユニット１０は、外装筐体１の外部に位置する状態においては、図９及び図１０に示すように、エアーフィルタ１２に付着している塵埃ｄ１と、外装筐体１内のエアーフィルタ１２近傍の部材に付着して残存している塵埃ｄ２とが内部に存在している。また、外部空気導入ユニット１０は、この状態で新たなエアーフィルタ１２、又は清掃されたエアーフィルタ１２に交換された場合は、実施の形態１の場合と同様に、エアーフィルタ１２及びその近傍の部材から離脱した塵埃ｄ３の一部が外部空気導入ユニット１０の内部に残存し、他の一部が外部空気導入ユニット１０の外部に落下することになる。しかしながら、前者のものは、エアーフィルタ１２が交換されて装着されることにより、エアーフィルタ１２近傍の部材に付着している塵埃ｄ２と共に、外部空気導入ユニット１０内に閉じ込められる。また、後者のものは、エアーフィルタ１２が外装筐体１の外部で取り外されるため、仮に、外部空気導入ユニット１０の外側に落下するようなことがあっても、外装筐体１の外側となるので、外装筐体１の内部に侵入することがない。
【００４５】
実施の形態２に係る投写型映像表示装置は、以上のように構成されているので、前記（１）の効果に加え、次の効果を奏することができる。
（４）外部空気導入ユニット１０は、外装筐体１からユニット全体が取り外されるので、外装筐体１から完全に切り離された状態となる。したがって、この実施の形態においては、外部空気導入ユニット１０に対するエアーフィルタ１２の着脱作業は、外装筐体１から離れた位置で行える。この結果、エアーフィルタ１２及びエアーフィルタ１２近傍の部材から離脱した塵埃ｄ３やエアーフィルタ１２近傍の部材に付着して残存している塵埃ｄ２が外装筐体１内に侵入することを防止することができる。
【００４６】
（５）外部空気導入ユニット１０は、外装筐体１に対しスライド式に着脱自在に形成されているので、投写型映像表示装置の外装筐体１に対し、容易に取り外し及び取り付けを行うことができる。
【００４７】
（変形例）
本発明は、上記実施の形態において以下のように変更することもできる。
・エアーフィルタ１２は、特にフィルタ方式が限定されるものではなく、機械的に塵埃を濾過する一般的なフィルタから高性能のフィルターまでを含むとともに、これらを組み合わせたものとしてもよい。
【００４８】
・エアーフィルタ１２は、外部空気導入ユニット１０に対し、スライド式に固定されていたが、その取付方法については、ビス固定式のものや、爪を用いた嵌め合い機構などの他のものでもよい。なおこれの取り付け方法としては、素手で簡単に取り付けられるが好ましい。
【００４９】
・外部空気導入ユニット１０を外装筐体１の外部へ移動させる方式は、前記実施の形態においては回転ドア式に外部へ移動させるものと、スライド式に着脱可能としたものとを例示しているが、これに限定されるものではない。例えば、外部空気導入ユニット１０をビスにより着脱自在に固定するものや、爪を用いた嵌め合い機構により着脱自在に固定するものなどの他の方式としてもよい。
【００５０】
・冷却システム２は、前記実施の形態においては、光学系部品へ外部空気を送風する系統が１系統であるものを示していたが、外部空気の導入部を１箇所としたまま、冷却ファン２０及び給気ダクト３０を複数系統に分けたものとしてもよい。また、冷却ファン２０の一部又は全部について給気ダクト３０を設けないものとしてもよい。
【００５１】
・また、冷却ファン２０は、給気ダクト３０を設けない場合は、シロッコファンでなく軸流ファンとしてもよい。また、冷却ファン２０は、押し込み式に使用されるものに限定されるものではなく、外装筐体１内の空気を排出することにより、外部空気導入ユニット１０を介し外部空気を光学系部品へ流通させるようにするものでもよい。
【００５２】
・吸気口１１に形成されている吸込みグリルは、単純に多数の小穴を開けたものや、多数のスリットを形成したものなど外観デザインとの関係でどのように装飾を施したものでもよい。
【００５３】
・本発明は、種々の投写型映像表示装置に適用することができる。例えば、前記実施の形態においては、３板式液晶プロジェクタを示したが、他の映像光生成系を備えた投写型映像表示装置や、ＤＬＰ（Digital Light Processingの略であって、テキサス・インスツルメント（TI社）の登録商標）方式のプロジェクタなどに適用してもよい。
【符号の説明】
【００５４】
ｄ１、ｄ２、ｄ３…塵埃、１…外装筐体、２…冷却システム、１０…外部空気導入ユニット、１１…吸気口、１２…エアーフィルタ、１３…ケース、１４…回転支軸、２０…冷却ファン、３０…給気ダクト。
【図１】
2013011689.tif 000003
【図２】
2013011689.tif 000004
【図３】
2013011689.tif 000005
【図４】
2013011689.tif 000006
【図５】
2013011689.tif 000007
【図６】
2013011689.tif 000008
【図７】
2013011689.tif 000009
【図８】
2013011689.tif 000010
【図９】
2013011689.tif 000011
【図１０】
2013011689.tif 000012
【図１１】
2013011689.tif 000013
【図１２】
2013011689.tif 000014
【図１３】
2013011689.tif 000015
【図１４】
2013011689.tif 000016
【図１５】
2013011689.tif 000017
【図１６】
2013011689.tif 000018
【図１７】
2013011689.tif 000019